【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
飲料摂取物を調製するためのシステムであって、
飲料調製装置、および
飲料関連成分を保持するように配設された少なくとも１つの交換可能な供給パック
を備えており、
該飲料調製装置は、飲料出口を有する混合チェンバー、液体を該混合チェンバーへ供給するための液体流路を含んでいる液体供給手段、空気を該液体流路へ供給するための空気供給手段、および駆動シャフトを備えており、
該少なくとも１つの交換可能な供給パックは、飲料関連成分を保持するための容器、および出口を有する配量器を備えており、該配量器は、該容器から該配量器の該出口へ配量された仕方で飲料関連成分を供給するように配設されており、
該少なくとも１つの交換可能な供給パックと該飲料調製装置とは、機械的に接続可能であり、そして接続されるときに該配量器の該出口が混合チェンバーと流体連絡され、そして、該駆動シャフトが稼動されるときに飲料関連成分が該配量器出口から該混合チェンバー内へ供給されるように、該飲料調製装置の駆動シャフトは、該飲料調製装置から該配量器へトルクを伝達するように配設されている、
上記システム
【請求項２】
該飲料調製装置は、該駆動シャフトをＸrpmで回転するように配設されており、Ｘは２０〜５０００の範囲内にあり、該配量器は、もし該配量器がＸrpmで駆動されるならば、該配量器は、Ｃ＊Ｘ／６０ｍｌ／秒で該飲料関連成分を配量するように配設されており、Ｃは、０．０５〜１の範囲内にある、請求項１に記載のシステム。
【請求項３】
飲料調製のために使用中、該駆動シャフトによって該配量器へ印加されるところのトルクが、０．１〜０．８Ｎｍの範囲内にあるように、該システムは配設されている、請求項２に記載のシステム。
【請求項４】
該飲料調製装置は、該１の飲料のための液体のＺｍｌを該混合チェンバー内へ配量するように配設されており、Ｚは、２〜１００００の範囲内にあり、そして該システムは、該１の飲料の調製のために該混合チェンバー内へＹｍｌの飲料関連成分を配量するように配設されており、Ｙは、０．１〜５０００の範囲内にある、請求項１〜３のいずれか１項に記載のシステム。
【請求項５】
該飲料調製装置は、該液体供給手段を第１期間の間稼動するように且つ該駆動シャフトを第２期間の間稼動するように配設されており、該第１期間および該第２期間は重なっている、請求項１〜４のいずれか１項に記載のシステム。
【請求項６】
１飲料サイクルの間、該飲料調製装置は、該少なくとも１つの交換可能な供給パックの該配量器を駆動するための該駆動シャフトを稼動する前に該液体供給手段を稼動するように配設されている、請求項１〜５のいずれか１項に記載のシステム。
【請求項７】
１飲料サイクルの最後で、該飲料調製装置は、該飲料調製装置が該駆動シャフトの稼動を停止した後に該液体供給手段を稼動するように配設されている、請求項１〜６のいずれか１項に記載のシステム。
【請求項８】
該混合チェンバーは、直径が上向き垂直方向に広がるように先細にされており、該飲料調製装置が該駆動シャフトの稼動を停止した後に該液体供給手段によって供給された液体は、該液体の水準が該混合チェンバー内で上昇しそして該配量器の出口を洗浄するように、そして特に該配量器の出口バルブを洗浄するように、先細にされた混合チェンバーによって上方に方向付けられている、請求項７に記載のシステム。
【請求項９】
該液体供給手段は、該液体を噴流の形状において該混合チェンバー内へ供給するように配設され、該液体流路は、第１ノズルを含んでおり、該液体流路は、該噴流の流れ方向に延在する外側液体部分および該噴流の流れ方向に延在する内側空気部分を有している液体の中空噴流を生成するように配設されており、該外側液体部分は該内側空気部分を囲んでいる、請求項１〜８のいずれか１項に記載のシステム。
【請求項１０】
該第１ノズルは、該混合チェンバーの側壁で終端しており、該中空噴流の該外側液体部分は、該混合チェンバーに隣接する領域において、該第１ノズルの内側表面の実質的部分と接触する、請求項９に記載のシステム。
【請求項１１】
該第１ノズルは、該混合チェンバーの方へ先細にされており、該液体流路は、該第１ノズルの上流に置かれた且つ液体の実質的に中実の噴流を生成するように配設された第２ノズルを備えており、該第１ノズルおよび該第２ノズルは、実質的に中実の液体の噴流が、衝突帯域において該第１ノズルの内側表面に衝突するように相互に相対的に配置されて、該第１ノズルの該内側表面の回りに該噴流を渦巻かせて、該中空の液体の噴流を形成する、請求項１０に記載のシステム。
【請求項１２】
該液体流路は、液体の実質的に中実の噴流を生成するように配設された第１ノズルを含んでおり、該第１ノズルは該混合チェンバーの側壁で終端しており、該実質的に中実の噴流の該液体は、該混合チェンバーに隣接する領域において、該第１ノズルの内側表面の実質的な部分と接触しており、該液体流路は、該第１ノズルの上流に置かれた且つ液体の実質的に中実の噴流を生成するように配設された第２ノズルを備えており、該第１ノズルおよび該第２ノズルは、液体の実質的に中実の噴流が、該第１ノズルの中心に対して真中であるように、相互に相対的に配置されている、請求項９に記載のシステム。
【請求項１３】
該第１ノズルおよび該第２ノズルは、少なくとも第１位置と第２位置との間で相対的に可動であり、
該第１位置において、該第１ノズルおよび該第２ノズルは、該第１ノズルの下流で中空の噴流を生成するために、実質的に中実の噴流が、該第１ノズルの中心に対して中心を外されるように、相互に相対的に配置されており、そして
該第２位置において、該第１ノズルおよび該第２ノズルは、該第１ノズルの下流で中実噴流を生成するために、実質的に中実の噴流が、該第１ノズルの中心に対して中心に置かれるように、相互に相対的に配置されている、請求項１２に記載のシステム。
【請求項１４】
該液体流路は、該第１ノズルを該第２ノズルから分離する中間部分をさらに備えており、該液体流路は、実質的に中実の噴流の周りの空気流が可能であるように配設されている、請求項１１〜１３のいずれか１項に記載のシステム。
【請求項１５】
該空気供給手段は、該液体流路と流体連絡し且つ該第１ノズルの上流に置かれた空気供給ダクトを備えている、請求項９〜１４のいずれか１項に記載のシステム。
【請求項１６】
該空気供給手段は、該空気供給ダクトを空気供給部へ選択的に接続するように配設された第１空気供給バルブを備えている、請求項１５に記載のシステム。
【請求項１７】
該空気供給手段は、空気を該空気供給ダクトを介して該液体流路へ能動的に供給するように配設された空気ポンプをさらに備えている、請求項１５または１６に記載のシステム。
【請求項１８】
該空気供給ダクトは、該空気供給ダクトに沿って液体が流れるのを防止するために配設された一方向バルブを含んでいる、請求項１５〜１７のいずれか１項に記載のシステム。
【請求項１９】
該飲料調製装置は、洗い流し用流体を供給するために配設された洗い流し用手段および該洗い流し用手段を該空気供給ダクトへ選択的に接続するように配設された洗い流しバルブを備えており、該洗い流しバルブは、該洗い流し用手段によって供給された洗い流し用流体が、該洗い流しバルブから該空気供給ダクトを通って該液体流路内へそして該混合チェンバー内へ流れるように、該一方向バルブの下流に置かれている、請求項１８に記載のシステム。
【請求項２０】
該混合チェンバーの直立する内壁は、液体を該混合チェンバーへ供給するための入口を備えており、該入口の近くで、該混合方向に反対方向で、傾斜部が、該混合チェンバー内の液体渦巻を該入口の領域内の該直立する壁から遠ざけるように備えられている、請求項１〜１９のいずれか１項に記載のシステム。
【請求項２１】
該液体流路内の液体の該流れは、軸方向に延在し、該システムはさらに、軸方向に延在する空気流を生成するために且つ該空気流を該流体流路内の該液体の流れに実質的に同軸的に注入するために空気注入手段を備えており、該流体流路内の該液体の流の該流れの方向は、中空噴流を得るように該空気流の該流れの方向と同じである、請求項９または１０に記載のシステム。
【請求項２２】
該注入手段は、開端部を有するニードルを備えており、該ニードルの軸方向および該噴流の該軸方向は、少なくとも実質的に一致している、請求項２１に記載のシステム。
【請求項２３】
該第１ノズルは、液体の噴流を軸方向に生成するように配設され、そして、該液体流路は、中空の噴流を形成するように、液体の該噴流の軸方向と実質的に同軸である方向に液体の該噴流の中心の方へ空気の流れを注入するための空気注入手段を含む、請求項９または１０に記載のシステム。
【請求項２４】
該液体流路は、バルブ本体、該液体供給手段と流体連絡している液体入口、該空気供給手段と流体連絡している空気入口、および該混合チェンバーと流体連絡している少なくとも第１出口を備えている選択バルブを含んでおり、該選択バルブは、該ニードルを含む選択子部材をさらに備えており、該選択子部材は、該液体入口が該少なくとも第１出口と流体連絡しているところの第１位置からの移動のために該バルブ本体に相対的に移動可能に搭載されており、そして該空気入口は、該選択子部材の該ニードルを介して該少なくとも第１出口と流体連絡しており、該選択子部材は、該液体入口が該少なくとも第１出口と流体連絡しているところの第２位置へ移動可能であり、そして、該空気入口から該少なくとも第１出口への流体連絡は遮断されている、請求項２２に記載のシステム。
【請求項２５】
該選択子部材は、該液体入口から該少なくとも第１出口への流体連絡は遮断され、且つ該空気入口から該少なくとも第１出口への流体連絡は遮断されているところの第３位置へ移動可能である、請求項２４に記載のシステム。
【請求項２６】
該バルブは、該システムの貯水槽と流体連絡している第２出口を有し、そして該選択子部材は、第４位置へ移動可能であり、該液体入口は該第２出口と流体連絡している、請求項２４または２５に記載のシステム。
【請求項２７】
該バルブは、該第１ノズルを該選択子部材の下流に含んでいる、請求項２４〜２６のいずれか１項に記載のシステム。
【請求項２８】
該バルブはさらに、該第１ノズルを含む衛星要素を備えており、該衛星部材は、該選択子部材と関連付けられ、そして該衛星要素は、該衛星要素が該選択子部材に独立に配置されることを可能にするために該選択子部材に対する自由な相対的運動の所定の制限された量を有し、そして第１位置において、該液体入口および空気入口は、該衛星部材の該第１ノズルを含む流体流路を通して流体連絡されている、請求項２４〜２７のいずれか１項に記載のシステム。
【請求項２９】
該選択子部材は、セラミック要素であり、開口部を有するものを備え、そして該ニードルが該開口部内に軸方向に延在している、請求項２４〜２８のいずれか１項に記載のシステム。
【請求項３０】
請求項１〜２９のいずれか１項に記載のシステムの飲料調製装置。